(57)【特許請求の範囲】
【請求項１】
改札機で利用可能な金額情報が記録されているＩＣカードを処理するカード処理機において、
利用者が所持するＩＣカードを受け入れる受入手段と、
この受入手段により第１のＩＣカードを受け入れた際に、上記第１のＩＣカードへの金額情報の入金方法を選択する第１の選択手段と、
この第１の選択手段により第２のＩＣカードからの金額情報の入金が選択された場合に、上記受入手段により第２のＩＣカードを受け入れて第２のＩＣカードに記録されている記録内容を読取る読取手段と、
この読取手段により読取った上記第２のＩＣカードに保証金がかけられている場合、上記第２のＩＣカードの保証金を現金で払うか上記第１のＩＣカードに加算するかを選択する第２の選択手段と、
この第２の選択手段により上記第２のＩＣカードの保証金を現金で支払うことが選択された場合、上記読取手段により読取った上記第２のＩＣカードの記録内容に基づいて、上記第２のＩＣカードの残額と上記第１のＩＣカードの残額とを加算した金額の金額情報を上記第１のＩＣカードに記録する第１の記録手段と、
上記第２のＩＣカードの保証金を現金にて放出する放出手段と、
上記第２の選択手段により上記第２のＩＣカードの保証金を上記第１のＩＣカードに加算することが選択された場合、上記読取手段により読取った上記第２のＩＣカードの記録内容に基づいて、上記第２のＩＣカードの残額と上記第２のＩＣカードの保証金と上記第１のＩＣカードの残額とを加算した金額の金額情報を上記第１のＩＣカードに記録する第２の記録手段と、
上記第１あるいは第２の記録手段により金額情報が記録された上記第１のＩＣカードを返却する返却手段と、
上記第２のＩＣカードを回収する回収手段と、
を具備することを特徴とするカード処理機。
【請求項２】
改札機で利用可能な金額情報が記録されているＩＣカードを処理するカード処理方法において、
利用者が所持する第１のＩＣカードを受け入れた際に、上記第１のＩＣカードへの金額情報の入金方法を選択し、
この選択により第２のＩＣカードからの金額情報の入金が選択された場合、上記第２のＩＣカードを受け入れて第２のＩＣカードに記録されている記録内容を読取り、
上記第２のＩＣカードに保証金がかけられている場合、上記第２のＩＣカードの保証金を現金で払うか上記第１のＩＣカードに加算するかを選択し、
この選択により上記第２のＩＣカードの保証金を現金で支払うことが選択された場合、上記第２のＩＣカードから読取った記録内容に基づいて、上記第２のＩＣカードの残額と上記第１のＩＣカードの残額とを加算した金額の金額情報を上記第１のＩＣカードに記録し、
これにより金額情報が記録された上記第１のＩＣカードを返却し、
上記第２のＩＣカードの保証金を現金にて放出し、
上記選択により上記第２のＩＣカードの保証金を上記第１のＩＣカードに加算することが選択された場合、上記第２のＩＣカードから読取った記録内容に基づいて、上記第２のＩＣカードの残額と上記第２のＩＣカードの保証金と上記第１のＩＣカードの残額とを加算した金額の金額情報を上記第１のＩＣカードに記録し、
これにより金額情報が記録された上記第１のＩＣカードを返却し、
上記第２のＩＣカードを回収する、
ことを特徴とするカード処理方法。
【発明の詳細な説明】
【０００１】
【発明の属する技術分野】
この発明は、例えば、利用者に対する入出場判定に基づいて利用者の入出場を制御する自動改札機などが設けられた鉄道などの交通機関で使用される無線ＩＣカード等のカード処理機及びカード処理方法に関する。
【０００２】
【従来の技術】
近年、無線ＩＣカードにより改札での入出場を行う駅務システムが実用化されている。このような無線ＩＣカードが利用可能な駅務システムでは、無線ＩＣカードとしてＩＣ−ＳＦ（ストアードフェア）カードとＩＣ定期券とが利用されている。これらの無線ＩＣカードでは、自動改札機３５との無線通信を行うことにより入出場の許可不許可が判定され、利用者の通行が制御されるようになっている。
【０００３】
上記ＩＣ−ＳＦカードは、運賃の支払いや乗車券類の購入に利用できる金額情報が記録された無線ＩＣカードである。例えば、ＩＣ−ＳＦカードに記録されている残額が運賃を満たしている場合、利用者は、別途乗車券を購入しなくても、ＩＣ−ＳＦカードにより自動改札機を利用することができる。また、ＩＣ−ＳＦカードは、カード処理機や自動券売機等で金額情報を積み増しできるようになっている。
【０００４】
また、ＩＣ定期券は、定期券の機能を有する無線ＩＣカードである。また、ＩＣ定期券では、通常、定期券情報とともに、ＳＦカードとして利用可能な金額情報が記録されている。すなわち、ＩＣ定期券は、定期券の機能とＳＦカードの機能とを併せ持つ無線ＩＣカードである。例えば、定期券の有効区間で乗降する場合、ＩＣ定期券により自動改札機を通過することが可能となる。また、定期券の有効区間内で乗車して有効区間外で下車する場合、ＩＣ定期券の定期券機能と当該ＩＣ定期券に記録されているＳＦカードの機能との組み合わせで自動改札機を通過することが可能となっている。また、ＩＣ−ＳＦカードと同様に、カード処理機あるいは自動券売機等でＩＣ定期券に対して金額情報を積み増しできるようになっている。
【０００５】
また、無線ＩＣカードが利用可能な自動改札機では、通常、１人の利用者に対して、処理する無線ＩＣカードの枚数が１枚であることを前提としている。もしも、２枚以上の無線ＩＣカードを利用しようとしても、自動改札機では、枚数超過で通行が不許可を判定される。
【０００６】
このため、ＩＣ定期券とＩＣ−ＳＦカードの両方を別々に所持する場合、利用者は、ＩＣ定期券とＩＣ−ＳＦカードとを組み合わせて自動改札機を利用することができない。例えば、ＩＣ定期券（既にＳＦ分を入金されている場合を含む）を所持する利用者が、別の人からＩＣ−ＳＦカードをもらったような場合、あるいは、ＩＣ−ＳＦカードを既に所持している利用者が新たにＩＣ定期券を購入した場合、ＩＣ定期券とＩＣ−ＳＦカードとをそれぞれ使い分けで利用することが必要となる。また、ＩＣ定期券とＩＣ−ＳＦカードの両方を別々に所持する利用者がＩＣ定期券の有効区間内と有効区間外とをまたがって乗車する場合、自動改札機ではＩＣ定期券とＩＣ−ＳＦカードとを組み合わせて判定することができないため、当該利用者は、自動精算機等での精算処理が必要であり、出場時に手間がかかって不便であるという問題点がある。
【０００７】
【発明が解決しようとする課題】
上記したように、複数のＩＣカードを所持している場合、複数のＩＣカードの組み合わせでは改札機が利用できないため、不便であるという問題点を解決するもので、複数のＩＣカードを使い分けて使用したり、複数のＩＣカードの組み合わせでの出場時の処理に手間がかることがないように、複数のＩＣカードを１枚のＩＣカードに統合することができるカード処理機とカード処理方法とを提供することを目的とする。
【００１１】
【課題を解決するための手段】
この発明のカード処理機は、改札機で利用可能な金額情報が記録されているＩＣカードを処理するものにおいて、利用者が所持するＩＣカードを受け入れる受入手段と、この受入手段により第１のＩＣカードを受け入れた際に、上記第１のＩＣカードへの金額情報の入金方法を選択する第１の選択手段と、この第１の選択手段により第２のＩＣカードからの金額情報の入金が選択された場合に、上記受入手段により第２のＩＣカードを受け入れて第２のＩＣカードに記録されている記録内容を読取る読取手段と、この読取手段により読取った上記第２のＩＣカードに保証金がかけられている場合、上記第２のＩＣカードの保証金を現金で払うか上記第１のＩＣカードに加算するかを選択する第２の選択手段と、この第２の選択手段により上記第２のＩＣカードの保証金を現金で支払うことが選択された場合、上記読取手段により読取った上記第２のＩＣカードの記録内容に基づいて、上記第２のＩＣカードの残額と上記第１のＩＣカードの残額とを加算した金額の金額情報を上記第１のＩＣカードに記録する第１の記録手段と、上記第２のＩＣカードの保証金を現金にて放出する放出手段と、上記第２の選択手段により上記第２のＩＣカードの保証金を上記第１のＩＣカードに加算することが選択された場合、上記読取手段により読取った上記第２のＩＣカードの記録内容に基づいて、上記第２のＩＣカードの残額と上記第２のＩＣカードの保証金と上記第１のＩＣカードの残額とを加算した金額の金額情報を上記第１のＩＣカードに記録する第２の記録手段と、上記第１あるいは第２の記録手段により金額情報が記録された上記第１のＩＣカードを返却する返却手段と、上記第２のＩＣカードを回収する回収手段とを有する。
【００１２】
【発明の実施の形態】
以下、この発明の実施の形態について図面を参照して説明する。
図１は、この発明に係わるカード処理機１の正面図を示すものである。このカード処理機１は、鉄道の駅等に設けられ、無線ＩＣカード等を処理するものである。このカード処理機１は、ＩＣ定期券（第１のＩＣカード）とＩＣ−ＳＦカード（第２のＩＣカード）との２種類の無線ＩＣカードを処理するものとする。上記ＩＣ−ＳＦカードは、予め記録（チャージ）された金額情報に基づいて乗車券の代わりに利用可能な無線ＩＣカードである。上記ＩＣ定期券は、定期券の機能とストアードフェアカードの機能とを併せ持つ無線ＩＣカードである。このＩＣ定期券では、定期券あるいはＳＦカードとして単独で利用可能、及び、定期券とＳＦカードとの組み合わせによる利用が可能となっている。また、全ての無線ＩＣカードＣには、発行時に、それぞれユニークな発行番号（識別情報）が発行され、当該発行番号が無線ＩＣカードＣ内の記録部Ｃａに記録されるとともに、カード表面に印刷されるようになっている。
【００１３】
図１に示すように、このカード処理機１の前面の接客面には、表示部２、ＩＣカード口３、紙幣投入口４、硬貨投入口５、レシート発行口６、クレジットカード口７、硬貨排出口８、受け皿９が設けられている。
上記ＩＣカード口３は、無線ＩＣカードの受け入れと排出とが受け入れた無線カードＣに処理を施した後に利用者に返却する場合に処理済の無線カードＣが排出される。上記紙幣投入口４は、利用者に紙幣を返却する場合に紙幣が排出される。上記表示部２は、選択手段として機能するタッチパネル２ａを内蔵した液晶表示装置（ＬＣＤ）によって構成される。この表示部２では、操作手順の案内、あるいは、上記タッチパネルにて投入金額の指示キー表示するようになっている。
【００１４】
上記ＩＣカード口３では、無線ＩＣカードＣの投入及び排出が行われる。上記紙幣投入口４では、紙幣が投入される。上記硬貨投入口５では、硬貨が投入される。上記レシート発行口６では、処理内容に応じて作成されるレシートが排出される。上記クレジットカード口７では、クレジットカードの投入及び排出が行われる。上記硬貨排出口８では、硬貨が排出される。上記受け皿９では、レシート発行口６から排出されたレシート、および硬貨排出口８から排出された硬貨が放出される。また、上記ＩＣカード口３では、受け入れた無線ＩＣカードＣに処理を施した後に利用者に返却する場合に処理済の無線ＩＣカードＣが排出される。
【００１５】
図２は、上記したような接客面を有するカード処理機１の内部構成を示すものである。
カード処理機１の制御系統は、紙幣処理部１０、ＩＣカード処理部１１、検銭部１２、釣銭部１３、レシート発行部１４、クレジットカード処理部１５、ＩＣカード回収部１７、主制御部２０、及びメモリ２１などにより構成されている。上記紙幣処理部１０、ＩＣカード処理部１１、検銭部１２、釣銭部１３、レシート発行部１４、クレジットカード処理部１５および表示部２は全て主制御部２０によって制御されるようになっている。この主制御部２０には、メモリ２１が接続されている。上記主制御部２０は、たとえばマイクロコンピュータとその周辺回路などを主体に構成されていて、カード処理機１の全体の制御を司るものである。
【００１６】
図２に示すように、カード処理機１では、紙幣投入口４が紙幣処理部１０に接続されている。また、硬貨投入口５は、検銭部１２に接続され、この検銭部１２には釣銭部１３が接続されている。これにより、検銭部１２で鑑別された硬貨は釣銭として釣銭部１３に貯留され、硬貨排出口８から受け皿９に放出できるようになっている。ＩＣカード口３はＩＣカード処理部１１に接続されている。また、ＩＣカード処理部１１には、無線ＩＣカードＣを回収する回収手段としてのＩＣカード回収部１７が接続されており、ＩＣカード処理部１１からの無線ＩＣカードＣをＩＣカード回収部１７に回収できるようになっている。上記ＩＣカード処理部１１は、無線ＩＣカードＣに記録されている内容の読み取り、及び、無線ＩＣカードへのデータの記録を行うようになっている。
【００１７】
また、ＩＣカード口３に挿入された無線ＩＣカードＣを回収する場合、無線ＩＣカードＣは、ＩＣカード処理部１１からＩＣカード回収部１７に搬送されて回収されるようになっている。
また、レシート発行口６には、レシートを発行する発行手段としてのレシート発行部１４が接続されている。このレシート発行部１４は、初期状態のレシート用紙か収納される収納部（図示しない）とこの収納部からレシート用紙を取出して初期状態のレシート用紙に処理内容などの情報を印刷する印刷部（図示しない）とからなる。上記レシート発行部１４により処理されたレシートは、レシート発行口６から排出される。また、上記レシートには、処理内容とともに、処理対象となった無線ＩＣカードＣを特定するために、処理対象となった無線ＩＣカードＣの発行番号などの情報が印刷されるようになっている。
【００１８】
また、クレジットカード口７には、クレジットカードを処理するクレジットカード処理部１５が接続されている。このクレジットカード処理部１５は、上記クレジットカード口７から受け入れたクレジットカードの記録内容を読取り、当該クレジットカードによる利用料金の支払い処理等を行うようになっている。
【００１９】
次に、上記のようなカード処理機１にて処理された無線ＩＣカードが利用可能な駅務システムについて説明する。
図３は、駅務システムの概略構成を示す図である。図３に示すように、駅務システムは、ホストコンピュータ３１、駅員操作端末３２、カード発行機３３、カード処理機１、自動精算機３４、及び自動改札機３５等の駅務機器により構成されている。
上記ホストコンピュータ３１は、駅務システム全体の管理及び制御等を行うものである。このホストコンピュータ３１は、各駅の駅務システムと接続され、各駅からの情報を受信して各駅務機器へ情報を配信するようになっている。上記駅員操作端末３２は、駅窓口内などに設置され、駅員により操作される端末装置である。
【００２０】
上記カード発行機３３は、駅窓口内などに設置され、利用者の申し出に基づく駅員の操作によって無線ＩＣカードＣを発行するものである。ここでは、駅員の操作によってＩＣ定期券あるいはＩＣ−ＳＦカードとしての無線ＩＣカードＣを発行するものについて説明するが、利用者自身の操作によって無線ＩＣカードＣを発行するものも同様な構成にて実現できる。上記自動精算機３４は、駅構内に設置され、利用者の操作によって乗車料金等の精算処理を行うものである。
【００２１】
上記自動改札機３５は、駅改札口などに設置され、利用者の改札口での入出場を制御するものである。この自動改札機３５は、１つの無線ＩＣカードＣでの処理を前提とし、入場時に利用した無線ＩＣカードＣでの出場を原則としている。例えば、定期券の区間内で乗車して定期券の区間外で下車する場合、ＩＣ定期券では、１つのＩＣ定期券で乗車して同一のＩＣ定期券で下車することにより、定期券の区間外分の利用料金をＳＦカード機能で精算することが可能となっている。これに対して、ＩＣ定期券の区間内で乗車して定期券の区間外で下車する場合に、ＩＣ定期券で乗車した利用者が、上記ＩＣ定期券と他のＩＣ−ＳＦカードとの組み合わせ、あるいは、他のＩＣ−ＳＦカードで下車することは、できないようになっている。このように、ＩＣ定期券で乗車した利用者が他のＩＣ−ＳＦカードを利用して下車する場合に、利用者は、自動精算機３４で乗車料金の精算処理を行った後に、自動改札機３５を利用するようになっている。
【００２２】
次に、上記カード処理機１での処理について説明する。
まず、ＩＣ定期券とＩＣ−ＳＦカードとを別々に所持している利用者は、それぞれの無線ＩＣカードを持って上記カード処理機１の前へ行く。この利用者は、まず、ＩＣカード口３にＩＣ定期券を投入し（ステップＳ１）、上記タッチパネル２ａにてＩＣ定期券への金額情報の入金方法を選択する（ステップＳ２）。すると、主制御部２０は、上記ＩＣカード口３から投入されたＩＣ定期券を受け入れ、上記ＩＣカード処理部１１によりＩＣ定期券に記録されている情報を読み取る。上記ＩＣカード処理部１１によりＩＣ定期券から読取られた情報は、主制御部２０へ供給される。上記ＩＣ定期券から読取った情報が供給されると、主制御部２０は、利用者により選択された入金方法を判断する。
【００２３】
この判断により利用者が当該ＩＣ定期券への入金方法として現金又はクレジットカードによる入金を選択したと判断した場合（ステップＳ３、ＮＯ）、主制御部２０は、入金する金額の選択と現金又はクレジットカードの投入案内とを上記表示部２に表示する。この表示に従って利用者が現金又はクレジットカードの投入すると、主制御部２０は、利用者が投入した現金又はクレジットカードに基づいて利用者により選択された金額の入金（チャージ）処理を行う（ステップＳ４）。これにより、現金又はクレジットカードによるＩＣ定期券への入金処理が完了すると、当該ＩＣ定期券をＩＣカード口３から放出し（ステップＳ５）、利用者に金額情報をチャージしたＩＣ定期券を返却することにより処理を終了する。
【００２４】
また、上記判断により利用者が当該ＩＣ定期券への入金方法として他のＩＣ−ＳＦカードからの入金を選択したと判断した場合（ステップＳ３、ＹＥＳ）、主制御部２０は、ＩＣ−ＳＦカードの投入案内を表示部２に表示する。この案内に応じて利用者がＩＣカード口３にＩＣ−ＳＦカードを投入すると（ステップＳ６）、ＩＣカード処理部１１は、利用者により投入されたＩＣ−ＳＦカードを受け入れ、受け入れたＩＣ−ＳＦカードに記録されている金額情報及び発行番号等の記録内容を読み取る。上記ＩＣカード処理部１１により当該ＩＣ−ＳＦカードから読取られた情報は、主制御部２０へ供給される。上記ＩＣ−ＳＦカードから読取った情報が供給されると、主制御部２０は、当該ＩＣ−ＳＦカードから読取った発行番号の検査処理を行う（ステップＳ８）。この発行番号の検査処理は、読取った発行番号と、予め上記メモリ２１に記録されている発行番号とが一致するか否かを判定する処理である。ここで、上記メモリ２１に記録される発行番号は、盗難されたＩＣ−ＳＦカードあるいは利用者が紛失したＩＣ−ＳＦカード等のＩＣ−ＳＦカードの発行番号であるものとする。
【００２５】
上記発行番号の検査処理により当該ＩＣ−ＳＦカードの発行番号と上記メモリ２１に記憶されている発行番号とが一致していると判定した場合、主制御部２０は、当該ＩＣ−ＳＦカードが他の無線ＩＣカードへのチャージができないＩＣ−ＳＦカードであると判定する（ステップＳ９、ＮＯ）。この場合、主制御部２０は、当該ＩＣ−ＳＦカードをカード処理機１内に保持したまま、全ての処理を停止し、例えば、警報音を鳴らすことにより駅員へ通知する（ステップＳ１７）。この通知を受けた駅員は、処理が停止したカード処理機１へ行き、当該利用者に対して当該ＩＣ−ＳＦカードに関する事情を聞く。当該駅員は、カード処理機１内から当該ＩＣ−ＳＦカードを取出してカード処理機１の動作を再開し、当該利用者に対しては、事情に応じた対応を行う（エラー処理）（ステップＳ１８）。
【００２６】
また、上記発行番号の検査処理により当該ＩＣ−ＳＦカードの発行番号と上記メモリ２１に記憶されている発行番号とが一致していないと判定した場合、主制御部２０は、当該ＩＣ−ＳＦカードが他の無線ＩＣカードへのチャージが可能なＩＣ−ＳＦカードであると判定する（ステップＳ９、ＹＥＳ）。この判定により当該ＩＣ−ＳＦカードが他の無線ＩＣカードへのチャージが可能なＩＣ−ＳＦカードであると判定した場合、主制御部２０は、当該ＩＣ−ＳＦカードのデポジット（保証金）金額の支払い方法を選択する選択画面を表示部２に表示する。この選択案内に応じて利用者は、デポジット金額の支払い方法を選択する（ステップＳ１０）。ここで、デポジット金額の支払い方法は、現金による支払いとデポジット金額を上記ＩＣ定期券にチャージすることによる支払い方法があるものとする。
【００２７】
利用者がデポジット金額をＩＣ定期券にチャージする旨を選択した場合（ステップＳ１１、ＮＯ）、主制御部２０は、ＩＣ−ＳＦカードの残額とデポジット金額とをＩＣ定期券にチャージする（ステップＳ１２）。ＩＣ定期券への金額のチャージが完了した場合、主制御部２０は、当該ＩＣ−ＳＦカードの発行番号に対応して処理内容をメモリ２１に記録する（ステップＳ１５）。これにより上記メモリ２１は、処理したＩＣ−ＳＦカードを示す発行番号と処理内容と対応させた処理履歴を取っておくことができる。
また、上記処理が完了すると、主制御部２０は、上記ＩＣカード回収部１７にて当該ＩＣ−ＳＦカードを回収し（ステップＳ１６）、金額情報がチャージされたＩＣ定期券を放出する（ステップＳ５）。
【００２８】
また、利用者が当該ＩＣ−ＳＦカードのデポジット金額の現金による支払いを選択した場合（ステップＳ１１、ＮＯ）、主制御部２０は、上記ＩＣカード処理部１１により当該ＩＣ−ＳＦカードの残額をＩＣ定期券にチャージし（ステップＳ１３）、上記釣銭部１３あるいは上記紙幣処理部１０により当該ＩＣ−ＳＦカードのデポジット金額を現金にて放出する（ステップＳ１４）。これにより利用者には、当該ＩＣ−ＳＦカードのデポジット金額が返却される。
【００２９】
当該ＩＣ定期券への金額のチャージとデポジット金額の返却が完了した場合、主制御部２０は、当該ＩＣ−ＳＦカードの発行番号に対応して処理内容を処理履歴としてメモリ２１に記録する（ステップＳ１５）。上記処理履歴の記録が完了すると、主制御部２０は、上記ＩＣカード回収部１７にて当該ＩＣ−ＳＦカードを回収し（ステップＳ１６）、金額情報がチャージされたＩＣ定期券を放出する（ステップＳ５）。
【００３０】
次に、他の無線ＩＣカードへの金額のチャージを無効にするＩＣ−ＳＦカードの発行番号の登録について説明する。
例えば、盗難、あるいは紛失等の理由によりＩＣ−ＳＦカードの使用を停止（禁止）させたい場合、利用者は、駅窓口にて駅員にＩＣ−ＳＦカードの使用を停止させたい旨と当該ＩＣ−ＳＦカードの発行番号とを申し出る。このような申し出を受けた駅員は、上記駅員操作端末３２にて申し出のあったＩＣ−ＳＦカードの発行番号を入力する。すると、駅員操作端末３２は、駅員により入力された発行番号と使用停止の旨とを上記ホストコンピュータ３１へ通知する。この通知を受けたホストコンピュータ３１は、使用を停止する無線ＩＣカードの発行番号の情報として通知された発行番号を図示しない記憶部に記憶するとともに、各駅務機器に当該発行番号と使用停止の旨とを通知する。
【００３１】
各駅務機器では、ホストコンピュータ３１から通知された発行番号を使用停止するＩＣ−ＳＦカードの情報として記憶部に記憶する。例えば、カード処理機１が発行番号と使用停止の旨とを受信した場合、主制御部２０は、使用を停止する無線ＩＣカードの発行番号の情報として受信した発行番号をメモリ２１に記録する。これにより、上記ステップＳ８で説明した発行番号の検査処理が可能となり、登録済みの発行番号のＩＣ−ＳＦカードの残額による他の無線ＩＣカードへの金額のチャージを防止できる。また、自動改札機、及び自動精算機等の駅務機器が発行番号と使用停止の旨とを受信した場合に、当該発行番号の無線ＩＣカードに対する処理を行わないようにしても良い。
【００３２】
すなわち、ＩＣ−ＳＦカードが盗難された場合、あるいは、ＩＣ−ＳＦカードを紛失した場合、当該ＩＣ−ＳＦカードの発行番号がわかれば、利用者は、当該ＩＣ−ＳＦカードの発行番号を駅員に申し出る。この申し出を受けた駅員が上記駅員操作端末３２にて申し出のあった発行番号を入力することにより各駅務機器に使用を禁止するＩＣ−ＳＦカードの発行番号を登録することができる。これにより、各駅務機器での当該ＩＣ−ＳＦカードの使用を停止することができ、当該ＩＣ−ＳＦカードの残額を他の無線ＩＣカードへチャージすることを禁止することが可能となる。
【００３３】
また、利用者が所持するＩＣ−ＳＦカードの発行番号は、ＩＣ−ＳＦカードの券面に記載されており、また、当該ＩＣ−ＳＦカードの発行時、あるいは、当該ＩＣ−ＳＦカードへの金額のチャージ時に、発行されるレシート（領収書）にも印刷される。従って、利用者は、発行時あるいは金額チャージ時のレシートを保管しておくか、予めＩＣ−ＳＦカードの券面に記載されている発行番号を控えておくことにより、当該ＩＣ−ＳＦカードの盗難あるいは紛失があった場合に、当該発行番号に基づいて当該ＩＣ−ＳＦカードの使用を禁止することができる。
【００３４】
また、上記カード処理機１では、金額チャージを行うごとに、処理内容を処理履歴として記憶しておくようにしている。これにより、利用者の申し出よりも前に、当該ＩＣ−ＳＦカードが使用されてしまった場合でも、処理履歴からＩＣ−ＳＦカードが使用された内容を確認できる。また、当該ＩＣ−ＳＦカードの残額で他のＩＣ定期券へ金額がチャージされている場合、チャージされたＩＣ定期券の情報に基づいて不正に使用した利用者等を判定できる。
【００３５】
上記のように、ＩＣ定期券とＩＣ−ＳＦカードと受け入れ、ＩＣ−ＳＦカードの残額をＩＣ定期券にチャージしてＩＣ−ＳＦカードを回収するようにしたものである。これにより、ＩＣ定期券とＩＣ−ＳＦカードとを別々に所持している利用者が、ＩＣ定期券にＩＣ−ＳＦカードの残額をチャージし、１枚のＩＣ定期券にまとめることができ、ＩＣ定期券の有効区間内と有効区間外とをまたがって乗車するような場合に、２枚処理ができない自動改札機でも精算処理なしで処理を行うことができる。また、ＩＣ定期券を所持している利用者が他人からＩＣ−ＳＦカードをもらった場合、あるいは、既にＩＣ−ＳＦカードを所持している利用者が新規にＩＣ定期券を購入した場合などでも、ＩＣ定期券にＩＣ−ＳＦカードの残額をチャージして１枚のＩＣ定期券にまとめることができるため、ＩＣ−ＳＦカードが無駄になることなく使用できる。
【００３６】
また、ＩＣ−ＳＦカードを発行する際に、デポジット金額を徴収している場合、ＩＣ定期券に残額をチャージした後のＩＣ−ＳＦカードを回収する際に当該ＩＣ−ＳＦカードのデポジット金額を現金で支払うか、ＩＣ定期券にチャージするかを利用者に選択させるようにしたものである。これにより、利用者の利便性を向上させるとともに、デポジット金額を利用者の要望に応じて処理できる。
【００３７】
また、ＩＣ定期券へＩＣ−ＳＦカードの残額をチャージする際、当該ＩＣ−ＳＦカードの発行番号が有効な発行番号か否かを判定し、当該ＩＣ−ＳＦカードの発行番号が使用が禁止されている発行番号であると判定した場合に、当該ＩＣ−ＳＦカードの残額をＩＣ定期券チャージする処理を禁止する。これにより、盗難あるいは紛失等のＩＣ−ＳＦカードを用いたＩＣ定期券への不正な金額チャージを防止できる。また、処理履歴を記録しておくことにより、後でＩＣ−ＳＦカードが不正に使用されたことが判明した場合であっても、処理履歴により不正使用者あるいは不正使用の内容を特定しやすく、不正利用を抑止する効果が期待できる。
【００３８】
【発明の効果】
以上詳述したように、この発明によれば、複数のＩＣカードを使い分けて使用したり、複数のＩＣカードの組み合わせでの出場時の処理に手間がかることがないように、複数のＩＣカードを１枚のＩＣカードに統合することができるカード処理機とカード処理方法とを提供できる。
【図面の簡単な説明】
【図１】この発明の実施の形態に係るカード処理機の概観構成を示す正面図。
【図２】カード処理機の内部構成を概略的に示すブロック図。
【図３】駅務システムの全体構成を説明するための図。
【図４】ＩＣ−ＳＦカードの残額をＩＣ定期券にチャージする際の動作を説明するためのフローチャート。
【符号の説明】
１…カード処理機、２…表示部、２ａ…タッチパネル（選択手段）、３…ＩＣカード口（受入手段、返却手段）、４…紙幣投入口、５…硬貨投入口、６…レシート発行口、７…クレジットカード口、８…硬貨排出口、９…受け皿、１０…紙幣処理部、１１…ＩＣカード処理部（読取手段、記録手段）、１２…検銭部、１３…釣銭部、１４…レシート発行部、１５…クレジットカード処理部、１７…ＩＣカード回収部（回収手段）、２０…主制御部（判定手段）、２１…メモリ（記憶手段）、３１…ホストコンピュータ、３２…駅員操作端末、３３…カード発行機、３４…自動精算機、３５…自動改札機
【図１】
0004071524.tif 000002
【図２】
0004071524.tif 000003
【図３】
0004071524.tif 000004
【図４】
0004071524.tif 000005